(57)【要約】【課題】手間をかけることなく録画装置で確実にデジタル放送の録画ができるようになる放送受信システム、録画装置及び受信装置を提供する。【解決手段】受像機（受信装置）１及び録画装置２が接続されたデジタル放送の放送受信システムで、録画装置２は、各機器でデジタル放送の視聴制限を解除できるチャンネルを示す情報を記憶しておき、放送番組の録画を行う際に、放送番組のチャンネルが録画装置２で視聴制限を解除できる場合は、そのチャンネルでデジタル放送を受信し、録画を行う。放送番組のチャンネルが受像機１で視聴制限を解除できる場合は、録画装置２は受像機１にそのチャンネルでデジタル放送を受信させ、受像機１は視聴制限を解除したデジタル放送のデータを録画装置２へ送信し、録画装置２は送信されたデータを記録する。【選択図】図１
2008271143.tif 000002
【特許請求の範囲】
【請求項１】
夫々にデジタル放送の受信が可能な録画装置及び受信装置を含み、
前記録画装置及び前記受信装置は、デジタル放送に施された視聴制限を解除するための情報を予め定められたチャンネルについて記録した記録媒体を夫々に装着される放送受信システムにおいて、
前記録画装置は、
装着されている前記記録媒体に記録された情報を用いて視聴制限を解除できるチャンネル、及び前記受信装置に装着されている前記記録媒体に記録された情報を用いて前記受信装置が視聴制限を解除できるチャンネルを示す情報を記録する記録手段と、
録画すべき放送番組のチャンネルが前記録画装置又は前記受信装置で視聴制限を解除できるチャンネルであるかを、前記記録手段で記録した情報に基づいて判定する手段と、
録画すべき放送番組のチャンネルが前記録画装置で視聴制限を解除できるチャンネルである場合に、前記放送番組に対応するデジタル放送を受信する手段と、
装着されている前記記録媒体に記録された情報を用いて、受信したデジタル放送の視聴制限を解除する手段と、
視聴制限を解除した前記デジタル放送のデータを記録する手段と、
録画すべき放送番組のチャンネルが前記受信装置で視聴制限を解除できるチャンネルである場合に、前記放送番組に対応するデジタル放送の受信の指示を前記受信装置へ送信する手段とを備え、
前記受信装置は、
前記録画装置から受信した前記指示に従って、前記放送番組に対応するデジタル放送を受信する手段と、
装着されている前記記録媒体に記録された情報を用いて、受信したデジタル放送の視聴制限を解除する手段と、
視聴制限を解除した前記デジタル放送のデータを前記録画装置へ送信する手段とを備え、
前記録画装置は、更に、
前記受信装置から受信した前記データを記録する手段を備えること
を特徴とする放送受信システム。
【請求項２】
前記録画装置は、更に、
録画すべき放送番組のチャンネルでのデジタル放送を受信し、装着されている前記記録媒体に記録された情報を用いて、受信したデジタル放送の視聴制限の解除を試行する手段と、
該手段により前記デジタル放送の視聴制限を解除できる場合に、前記チャンネルを前記録画装置で視聴制限を解除できるチャンネルとする情報を前記記録手段に記録させる手段と、
前記デジタル放送の視聴制限を解除できない場合に、録画すべき放送番組のチャンネルのデジタル放送の視聴制限解除試行の指示を前記受信装置へ送信する手段とを備え、
前記受信装置は、更に、
前記録画装置から受信した前記指示に従って、前記チャンネルでのデジタル放送を受信し、装着されている前記記録媒体に記録された情報を用いて、受信したデジタル放送の視聴制限の解除を試行する手段と、
該手段による試行結果を示す情報を前記録画装置へ送信する手段とを備え、
前記録画装置は、更に、
前記受信装置から受信した情報が示す試行結果が、前記デジタル放送の視聴制限を解除できた結果である場合に、録画すべき放送番組のチャンネルを前記受信装置で視聴制限を解除できるチャンネルとする情報を前記記録手段に記録させる手段を備えること
を特徴とする請求項１に記載の放送受信システム。
【請求項３】
夫々にデジタル放送の受信が可能な録画装置及び受信装置を含み、
前記録画装置及び前記受信装置は、デジタル放送に施された視聴制限を解除するための情報を予め定められたチャンネルについて記録した記録媒体を夫々に装着される放送受信システムにおいて、
前記録画装置は、
装着されている前記記録媒体に記録された情報を用いて、録画すべき放送番組のチャンネルでのデジタル放送の視聴制限の解除を試行する手段と、
該手段により前記デジタル放送の視聴制限を解除できる場合に、録画すべき放送番組に対応するデジタル放送を受信する手段と、
装着されている前記記録媒体に記録された情報を用いて、受信したデジタル放送の視聴制限を解除する手段と、
視聴制限を解除した前記デジタル放送のデータを記録する手段と、
前記デジタル放送の視聴制限を解除できない場合に、前記チャンネルでのデジタル放送の受信の指示を前記受信装置へ送信する手段とを備え、
前記受信装置は、
前記録画装置から受信した前記指示に従って、前記チャンネルでのデジタル放送を受信し、装着されている前記記録媒体に記録された情報を用いて、受信したデジタル放送の視聴制限の解除を試行する手段と、
該手段により前記デジタル放送の視聴制限を解除できる場合に、録画すべき放送番組に対応するデジタル放送を受信する手段と、
装着されている前記記録媒体に記録された情報を用いて、受信したデジタル放送の視聴制限を解除する手段と、
視聴制限を解除した前記デジタル放送のデータを前記録画装置へ送信する手段とを備え、
前記録画装置は、更に、
前記受信装置から受信した前記データを記録する手段を備えること
を特徴とする放送受信システム。
【請求項４】
前記受信装置は受像機であり、
前記録画装置は、更に、
前記記録手段が記録する情報が示す各チャンネルでのデジタル放送の視聴制限を解除できる機器を示す情報を含む電子番組表のデータを前記受像機へ送信する手段を備え、
前記受像機は、
前記録画装置から受信した前記データに基づいて前記電子番組表を表示する手段を備えること
を特徴とする請求項１乃至３のいずれか一つに記載の放送受信システム。
【請求項５】
前記受信装置は受像機であり、
前記録画装置は、更に、
記録したデジタル放送のデータ、又は受信して視聴制限を解除したデジタル放送のデータを前記受像機へ送信する手段を備え、
前記受像機は、
受信したデジタル放送に基づいた映像と前記録画装置から受信したデータに基づいた映像とからなる２画面映像を表示する手段を備えること
を特徴とする請求項１乃至３のいずれか一つに記載の放送受信システム。
【請求項６】
デジタル放送の受信及び録画が可能であり、デジタル放送に施された視聴制限を解除するための情報を予め定められたチャンネルについて記録した記録媒体を装着される録画装置において、
装着されている前記記録媒体に記録された情報を用いて視聴制限を解除できるチャンネル、及び所定の外部の受信装置で視聴制限を解除できるチャンネルを示す情報を記録する記録手段と、
録画すべき放送番組のチャンネルが自身又は前記外部の受信装置で視聴制限を解除できるチャンネルであるかを、前記記録手段で記録した情報に基づいて判定する手段と、
録画すべき放送番組のチャンネルが自身で視聴制限を解除できるチャンネルである場合に、前記放送番組に対応するデジタル放送を受信する手段と、
装着されている前記記録媒体に記録された情報を用いて、受信したデジタル放送の視聴制限を解除する手段と、
視聴制限を解除した前記デジタル放送のデータを記録する手段と、
録画すべき放送番組のチャンネルが前記外部の受信装置で視聴制限を解除できるチャンネルである場合に、前記放送番組に対応するデジタル放送の受信の指示を前記外部の受信装置へ送信する手段と、
デジタル放送のデータを前記外部の受信装置から受信する手段と、
受信した前記データを記録する手段と
を備えることを特徴とする録画装置。
【請求項７】
デジタル放送の受信が可能であり、デジタル放送に施された視聴制限を解除するための情報を予め定められたチャンネルについて記録した記録媒体を装着される受信装置において、
特定の放送番組に対応するデジタル放送の受信の指示を外部の装置から受信する手段と、
受信した前記指示に従って、前記放送番組に対応するデジタル放送を受信する手段と、
装着されている前記記録媒体に記録された情報を用いて、受信したデジタル放送の視聴制限を解除する手段と、
視聴制限を解除した前記デジタル放送のデータを前記外部の装置へ送信する手段と
を備えることを特徴とする受信装置。
【請求項８】
映像を表示する受像機であり、
前記外部の装置からデジタル放送のデータを受信する手段と、
受信したデジタル放送に基づいた映像と前記外部の装置から受信したデータに基づいた映像とからなる２画面映像を表示する手段と
を更に備えることを特徴とする請求項７に記載の受信装置。
【発明の詳細な説明】
【技術分野】
【０００１】
本発明は、受像機等の受信装置と録画装置とが接続された放送受信システム、録画装置及び受信装置に関する。
【背景技術】
【０００２】
現在、テレビジョン放送として、衛星デジタル放送、地上波デジタル放送、又は有線デジタル放送等、テレビジョン用の信号をデジタル変調方式で伝送するデジタル放送が普及している。日本のデジタル放送では、ＣＡＳ（Conditional Access System ）と呼称される限定受信システムが採用されており、契約者以外の視聴を暗号化等によって防止する視聴制限が施されている。デジタル放送に対応した受像機又はチューナ装置等の受信装置では、ＣＡＳに対応した機能を備えており、デジタル放送に施された視聴制限を解除するために必要な情報が記録された専用のＩＣカード（以下、ＣＡＳカードと言う）が装着されることにより、デジタル放送の視聴制限を解除することが可能になる。
【０００３】
ＣＡＳカードには、復号鍵等、視聴制限を解除するために必要な情報がチャンネル毎に記録されており、視聴者が特定チャンネルのデジタル放送を視聴するためには特定チャンネルに対応したＣＡＳカードが必要となる。例えば有料放送の場合は、視聴者が結んだ有料放送の視聴契約に応じてその有料放送の視聴制限を解除するために必要な情報がＣＡＳカードに記録され、視聴者は、そのＣＡＳカードが装着された受信装置を用いた場合のみその有料放送を視聴することが可能となる。
【０００４】
また、デジタル放送を録画することができる録画装置も普及しており、このような録画装置も、ＣＡＳカードが装着されることによってデジタル放送の録画が可能となる。このような録画装置と受像機との間をＨＤＭＩ（High Definition Multimedia Interface）又はＩＥＥＥ１３９４等のデジタルインタフェースで相互接続することにより、受像機と録画装置とが連動した動作が可能となる。例えば、録画装置で録画した映像を受像機で表示することのみならず、受像機を外部入力に設定することによって、録画装置のチューナで受信したデジタル放送の映像を受像機で表示することが可能であり、また録画装置を外部入力に設定することによって、受像機のチューナで受信したデジタル放送を録画装置で録画することも可能となる。特許文献１には、二つのチューナを内蔵して２画面表示が可能な受像機で、外付けの録画装置から映像データを入力され、入力された映像データに基づいた映像を含む２画面表示を行う技術が開示されている。またＨＤＭＩは、ＣＥＣ（Consumer Electronics Control）と呼称される機器制御機能を有しており、互いに接続された受像機及び録画装置はＣＥＣを用いて電源のオン／オフ等の互いの動作制御を行うことができる。
【特許文献１】特開２００４−７２４４９号公報
【発明の開示】
【発明が解決しようとする課題】
【０００５】
前述のように、受信装置がデジタル放送を受信するためにはＣＡＳカードが装着されている必要があり、特定チャンネルに対応したＣＡＳカードが装着されていない受信装置では、特定チャンネルのデジタル放送を受信することはできない。ＣＡＳカードは個別に情報が記録されているので、受像機及び録画装置からなる放送受信システムでは、受像機に装着されているＣＡＳカードが対応しているチャンネルと録画装置に装着されているＣＡＳカードが対応しているチャンネルとが異なっている場合がある。
【０００６】
例えば、視聴者が有料放送の番組を視聴すべく視聴契約を行っている場合、有料放送のチャンネルに対応したＣＡＳカードが受像機に装着されてあれば、視聴者が受像機で有料放送を視聴することは可能であるものの、録画装置で有料放送を録画することはできない。この場合に有料放送を録画するためには、受像機に装着されてあるＣＡＳカードを外して録画装置へ装着し直す必要がある。また他の方法としては、デジタル放送を受像機で受信して録画装置で受信できるように、録画時に録画装置が外部入力になるように設定する必要がある。このように、チャンネルによってはデジタル放送を録画装置で録画するために非常に手間がかかり、確実にデジタル放送を録画するためには、使用者は、どの機器に装着されたＣＡＳカードを用いればどのチャンネルを録画できるのかを正確に把握して適切に対処する必要がある。
【０００７】
また特許文献１に開示された技術では、複数のチューナを備えた受像機で２画面表示を行う際に一方の画面又は双方の画面を外部入力とすることにより、外部入力を用いた２画面表示を行うことが可能である。しかし、外部入力を用いた２画面表示を行うためには複数のチューナを備えた受像機である必要があり、使用者が負担するコストが大きくなる。以上のように、受像機及び録画装置からなる従来の放送受信システムでは、デジタルインタフェースで相互接続されているとしても、連動性が悪く、使用者に無用の負担を強いているという問題がある。
【０００８】
本発明は、斯かる事情に鑑みてなされたものであって、その目的とするところは、受像機等の受信装置と録画装置との連動性を高めることにより、手間をかけることなく録画装置で確実にデジタル放送の録画ができるようになる放送受信システム、録画装置及び受信装置を提供することにある。
【０００９】
また本発明の他の目的とするところは、受像機である受信装置と録画装置との連動性を高めることにより、外部入力を利用した２画面表示を低コストで実現することができる放送受信システム及び受信装置を提供することにある。
【課題を解決するための手段】
【００１０】
本発明に係る放送受信システムは、夫々にデジタル放送の受信が可能な録画装置及び受信装置を含み、前記録画装置及び前記受信装置は、デジタル放送に施された視聴制限を解除するための情報を予め定められたチャンネルについて記録した記録媒体を夫々に装着される放送受信システムにおいて、前記録画装置は、装着されている前記記録媒体に記録された情報を用いて視聴制限を解除できるチャンネル、及び前記受信装置に装着されている前記記録媒体に記録された情報を用いて前記受信装置が視聴制限を解除できるチャンネルを示す情報を記録する記録手段と、録画すべき放送番組のチャンネルが前記録画装置又は前記受信装置で視聴制限を解除できるチャンネルであるかを、前記記録手段で記録した情報に基づいて判定する手段と、録画すべき放送番組のチャンネルが前記録画装置で視聴制限を解除できるチャンネルである場合に、前記放送番組に対応するデジタル放送を受信する手段と、装着されている前記記録媒体に記録された情報を用いて、受信したデジタル放送の視聴制限を解除する手段と、視聴制限を解除した前記デジタル放送のデータを記録する手段と、録画すべき放送番組のチャンネルが前記受信装置で視聴制限を解除できるチャンネルである場合に、前記放送番組に対応するデジタル放送の受信の指示を前記受信装置へ送信する手段とを備え、前記受信装置は、前記録画装置から受信した前記指示に従って、前記放送番組に対応するデジタル放送を受信する手段と、装着されている前記記録媒体に記録された情報を用いて、受信したデジタル放送の視聴制限を解除する手段と、視聴制限を解除した前記デジタル放送のデータを前記録画装置へ送信する手段とを備え、前記録画装置は、更に、前記受信装置から受信した前記データを記録する手段を備えることを特徴とする。
【００１１】
本発明に係る放送受信システムは、前記録画装置は、更に、録画すべき放送番組のチャンネルでのデジタル放送を受信し、装着されている前記記録媒体に記録された情報を用いて、受信したデジタル放送の視聴制限の解除を試行する手段と、該手段により前記デジタル放送の視聴制限を解除できる場合に、前記チャンネルを前記録画装置で視聴制限を解除できるチャンネルとする情報を前記記録手段に記録させる手段と、前記デジタル放送の視聴制限を解除できない場合に、録画すべき放送番組のチャンネルのデジタル放送の視聴制限解除試行の指示を前記受信装置へ送信する手段とを備え、前記受信装置は、更に、前記録画装置から受信した前記指示に従って、前記チャンネルでのデジタル放送を受信し、装着されている前記記録媒体に記録された情報を用いて、受信したデジタル放送の視聴制限の解除を試行する手段と、該手段による試行結果を示す情報を前記録画装置へ送信する手段とを備え、前記録画装置は、更に、前記受信装置から受信した情報が示す試行結果が、前記デジタル放送の視聴制限を解除できた結果である場合に、録画すべき放送番組のチャンネルを前記受信装置で視聴制限を解除できるチャンネルとする情報を前記記録手段に記録させる手段を備えることを特徴とする。
【００１２】
本発明に係る放送受信システムは、夫々にデジタル放送の受信が可能な録画装置及び受信装置を含み、前記録画装置及び前記受信装置は、デジタル放送に施された視聴制限を解除するための情報を予め定められたチャンネルについて記録した記録媒体を夫々に装着される放送受信システムにおいて、前記録画装置は、装着されている前記記録媒体に記録された情報を用いて、録画すべき放送番組のチャンネルでのデジタル放送の視聴制限の解除を試行する手段と、該手段により前記デジタル放送の視聴制限を解除できる場合に、録画すべき放送番組に対応するデジタル放送を受信する手段と、装着されている前記記録媒体に記録された情報を用いて、受信したデジタル放送の視聴制限を解除する手段と、視聴制限を解除した前記デジタル放送のデータを記録する手段と、前記デジタル放送の視聴制限を解除できない場合に、前記チャンネルでのデジタル放送の受信の指示を前記受信装置へ送信する手段とを備え、前記受信装置は、前記録画装置から受信した前記指示に従って、前記チャンネルでのデジタル放送を受信し、装着されている前記記録媒体に記録された情報を用いて、受信したデジタル放送の視聴制限の解除を試行する手段と、該手段により前記デジタル放送の視聴制限を解除できる場合に、録画すべき放送番組に対応するデジタル放送を受信する手段と、装着されている前記記録媒体に記録された情報を用いて、受信したデジタル放送の視聴制限を解除する手段と、視聴制限を解除した前記デジタル放送のデータを前記録画装置へ送信する手段とを備え、前記録画装置は、更に、前記受信装置から受信した前記データを記録する手段を備えることを特徴とする。
【００１３】
本発明に係る放送受信システムは、前記受信装置は受像機であり、前記録画装置は、更に、前記記録手段が記録する情報が示す各チャンネルでのデジタル放送の視聴制限を解除できる機器を示す情報を含む電子番組表のデータを前記受像機へ送信する手段を備え、前記受像機は、前記録画装置から受信した前記データに基づいて前記電子番組表を表示する手段を備えることを特徴とする。
【００１４】
本発明に係る放送受信システムは、前記受信装置は受像機であり、前記録画装置は、更に、記録したデジタル放送のデータ、又は受信して視聴制限を解除したデジタル放送のデータを前記受像機へ送信する手段を備え、前記受像機は、受信したデジタル放送に基づいた映像と前記録画装置から受信したデータに基づいた映像とからなる２画面映像を表示する手段を備えることを特徴とする。
【００１５】
本発明に係る録画装置は、デジタル放送の受信及び録画が可能であり、デジタル放送に施された視聴制限を解除するための情報を予め定められたチャンネルについて記録した記録媒体を装着される録画装置において、装着されている前記記録媒体に記録された情報を用いて視聴制限を解除できるチャンネル、及び所定の外部の受信装置で視聴制限を解除できるチャンネルを示す情報を記録する記録手段と、録画すべき放送番組のチャンネルが自身又は前記外部の受信装置で視聴制限を解除できるチャンネルであるかを、前記記録手段で記録した情報に基づいて判定する手段と、録画すべき放送番組のチャンネルが自身で視聴制限を解除できるチャンネルである場合に、前記放送番組に対応するデジタル放送を受信する手段と、装着されている前記記録媒体に記録された情報を用いて、受信したデジタル放送の視聴制限を解除する手段と、視聴制限を解除した前記デジタル放送のデータを記録する手段と、録画すべき放送番組のチャンネルが前記外部の受信装置で視聴制限を解除できるチャンネルである場合に、前記放送番組に対応するデジタル放送の受信の指示を前記外部の受信装置へ送信する手段と、デジタル放送のデータを前記外部の受信装置から受信する手段と、受信した前記データを記録する手段とを備えることを特徴とする。
【００１６】
本発明に係る受信装置は、デジタル放送の受信が可能であり、デジタル放送に施された視聴制限を解除するための情報を予め定められたチャンネルについて記録した記録媒体を装着される受信装置において、特定の放送番組に対応するデジタル放送の受信の指示を外部の装置から受信する手段と、受信した前記指示に従って、前記放送番組に対応するデジタル放送を受信する手段と、装着されている前記記録媒体に記録された情報を用いて、受信したデジタル放送の視聴制限を解除する手段と、視聴制限を解除した前記デジタル放送のデータを前記外部の装置へ送信する手段とを備えることを特徴とする。
【００１７】
本発明に係る受信装置は、映像を表示する受像機であり、前記外部の装置からデジタル放送のデータを受信する手段と、受信したデジタル放送に基づいた映像と前記外部の装置から受信したデータに基づいた映像とからなる２画面映像を表示する手段とを更に備えることを特徴とする。
【００１８】
本発明においては、受像機（受信装置）及び録画装置が接続されたデジタル放送の放送受信システムで、録画装置は、各機器で視聴制限を解除できるチャンネルを示す情報を記憶しておき、録画予約に従って放送番組を録画する際に、放送番組のチャンネルが受像機又は録画装置でデジタル放送の視聴制限を解除できるチャンネルであるかを判定し、録画装置で視聴制限を解除できるチャンネルの場合は、放送番組に対応するデジタル放送を受信し、録画を行う。また放送番組のチャンネルが受像機で視聴制限を解除できるチャンネルの場合は、録画装置は受像機に放送番組に対応するデジタル放送を受信させ、受像機は受信したデジタル放送のデータを録画装置へ送信し、録画装置は受像機からのデジタル放送のデータを記録する。これにより、特定チャンネルのデジタル放送を録画しようとする際には、特定チャンネルに対応するＣＡＳカードが録画装置ではなく受像機に装着されている場合であっても、自動で特定チャンネルの録画が可能となる。
【００１９】
また本発明においては、録画装置又は受像機で放送番組のチャンネルでのデジタル放送の視聴制限の解除を試行し、録画装置又は受像機のいずれかの機器で視聴制限を解除することができた場合に、録画装置は、視聴制限を解除できた機器でそのチャンネルの視聴制限を解除できることを示す情報を記録する。これにより、放送番組のチャンネルが録画装置又は受像機のいずれの機器で視聴制限を解除できるチャンネルであるかが不明である場合でも、いずれの機器で視聴制限を解除できるのかを特定することができる。
【００２０】
本発明においては、放送番組の録画を行う都度、放送番組のチャンネルでのデジタル放送の視聴制限を解除する試行を行い、視聴制限を解除することができる機器でデジタル放送を受信し、録画を可能にする処理を行う。
【００２１】
また本発明においては、受像機は、電子番組表中に、録画装置及び受像機の内で各チャンネルでのデジタル放送の視聴制限を解除できる機器を示す情報を各チャンネルに対応付けて表示する。
【００２２】
更に本発明においては、録画装置は、受信したデジタル放送のデータ又は録画したデジタル放送のデータを受像機へ送信し、受像機は、受信したデジタル放送のデータ及び録画装置からのデータに基づいて、２画面映像を表示する。
【発明の効果】
【００２３】
本発明にあっては、録画装置及び受像機（受信装置）のいずれかに特定チャンネルに対応したＣＡＳカードが装着されてあれば、使用者がＣＡＳカードを装着し直すか又は予め外部入力で録画するように録画装置を設定しておく等の手間を使用者に必要とさせることなく、自動で特定チャンネルでの放送番組を録画することが可能となる。また使用者は、チャンネルとＣＡＳカード又は機器との対応を意識することなく放送番組の録画予約を行うことができる。
【００２４】
また本発明にあっては、チャンネルに係る情報が設定されていない場合、又は情報が不十分な場合であっても、チャンネルとＣＡＳカード又は機器との対応を意識することなく使用者が録画予約を行うだけで、自動で特定チャンネルでの録画が可能となる。また録画装置が自動でチャンネルに係る情報を記録するので、使用者が手動で情報を設定する手間を省くこともできる。
【００２５】
また本発明にあっては、電子番組表に各チャンネルでのデジタル放送の視聴制限を解除できる装置を表示することにより、各チャンネルで放送番組を録画できることが明らかに示される。
【００２６】
また本発明にあっては、２画面表示を行うために受像機が複数のチューナを備えている必要がないので、低コストで２画面表示を実現することができる。更に本発明にあっては、以上の如く相互接続された録画装置及び受像機の連動性を高めることにより、デジタル放送の録画又は２画面表示を行うために必要な使用者の負担を低減し、より快適な視聴環境を提供することが可能となる等、本発明は優れた効果を奏する。
【発明を実施するための最良の形態】
【００２７】
以下本発明をその実施の形態を示す図面に基づき具体的に説明する。
図１は、本発明の放送受信システムの外観を示す概念図である。本発明の放送受信システムは、デジタル放送の受信が可能な受像機（受信装置）１と、受像機１に接続された録画装置２とを含んでなる。録画装置２は、受像機１とは独立にデジタル放送の受信・録画が可能な録画装置である。受像機１は、使用者が操作するリモートコントローラ（リモコン）３を用いて使用者からの指示を受け付ける構成となっている。なお、録画装置２に接続される受信装置は受像機１に限るものではなく、録画装置２にはチューナ装置又はセットトップボックス等の受像機１以外の受信装置が接続されていてもよい。
【００２８】
図２は、本発明の放送受信システムの一部を構成する受像機１の内部構成を示すブロック図である。本発明の受像機１は、演算を行う演算部、演算に伴う情報を記憶するＲＡＭ、演算に必要なプログラムを記憶するＲＯＭ等からなり、受像機１に必要な演算処理を行い、受像機１の各部の動作を制御する制御処理部１１を備えている。また制御処理部１１は、使用者が操作するリモコン３から送信された信号を受信するリモコン受信部１２が接続されている。制御処理部１１は、リモコン受信部１２が受信した信号のコード処理を行い、使用者からの各種の指示を受け付ける。また制御処理部１１には、映像を表示する液晶ディスプレイパネル又はプラズマディスプレイパネル等の表示部１３１と、音声を出力するスピーカ又は音声出力端子等の音声出力部１３２とが接続されている。
【００２９】
また制御処理部１１には、デジタル放送の視聴制限を解除するための情報が記録されたＣＡＳカード（記録媒体）Ｃ１が装着されるＣＡＳカード装着部１４と、デジタル放送を受信するチューナ１５とが接続されている。制御処理部１１は、チューナ１５が受信するデジタル放送を選局する処理を行う。チューナ１５は、図示しないアンテナ線に接続されており、選局されたチャンネルでデジタル放送の放送信号を受信し、受信した放送信号を復調した放送ストリームを制御処理部１１へ入力する。制御処理部１１は、ＣＡＳカード装着部１４に装着されたＣＡＳカードＣ１が記録する情報を参照しながら、チューナ１５からの放送ストリームの処理を実行する。このとき、制御処理部１１は、選局したチャンネルにＣＡＳカードＣ１が対応している場合は、ＣＡＳカードＣ１が記録する情報を用いて、放送ストリームに施された暗号化等の視聴制限を解除する処理を行う。例えば、制御処理部１１は、ＣＡＳカードＣ１が記録する復号鍵を用いて、暗号化された放送ストリームを復号する処理を行う。制御処理部１１は、放送ストリームに施された視聴制限を解除することによって、放送ストリームから映像データ及び音声データを再生し、再生した映像データに基づいて表示部１３１に映像を表示させ、再生した音声データに基づいて音声出力部１３２に音声を出力させる処理を行う。また選局したチャンネルにＣＡＳカードＣ１が対応していない場合は、制御処理部１１は、放送ストリームに施された視聴制限を解除することができない。
【００３０】
また制御処理部１１には、ＨＤＭＩの規格に従って構成された第１インタフェース部１７２が接続されている。制御処理部１１は、第１インタフェース部１７２に接続された外部の装置との間でＨＤＭＩの規格に従って情報の送受信を行う処理を実行する。また制御処理部１１及び第１インタフェース部１７２には、ＨＤＭＩの信号に含まれるＣＥＣの制御信号を処理する制御信号処理部１７１が接続されている。制御処理部１１は、ＣＥＣを用いて外部の装置の動作を制御するための論理演算を実行し、外部の装置を制御するための特定の制御信号を制御信号処理部１７１に第１インタフェース部１７２を介して外部の装置へ送信させる。本発明の放送受信システムでは、第１インタフェース部１７２には、信号線を介して録画装置２が接続されている。
【００３１】
制御処理部１１は、第１インタフェース部１７２を介して、映像データを含むＨＤＭＩの規格に従った各種の情報を録画装置２との間で送受信し、ＣＥＣの制御信号を送信することによって録画装置２の動作を制御する。例えば、使用者がリモコン３に所定の操作を行うことにより、録画装置２の動作指示をリモコン受信部１２で受け付け、制御処理部１１は、受け付けた動作指示に従った制御信号を制御信号処理部１７１に第１インタフェース部１７２を介して録画装置２へ送信させ、録画装置２の動作を制御する。このようにして、使用者は、リモコン３を操作することにより、受像機１を通じて録画装置２を動作させることができる。
【００３２】
また制御処理部１１には、ＩＥＥＥ１３９４等の規格に従って構成された、データを外部へ送信することができる第２インタフェース部１７３が接続されている。本発明の放送受信システムでは、第２インタフェース部１７３には、信号線を介して録画装置２が接続されている。制御処理部１１は、チューナ１５で受信した放送信号から再生した映像データ及び音声データを、第２インタフェース部１７３を介して録画装置２へ送信することができる。なお、以上の受像機１内部の各構成部分は、個別に受像機１内に設けられているものに限るものではなく、複数の構成部分が一の部品に集積された上で設けられているものであってもよい。
【００３３】
図３は、本発明の放送受信システムの一部を構成する録画装置２の内部構成を示すブロック図である。録画装置２は、演算を行う演算部、演算に伴う情報を記憶するＲＡＭ、演算に必要なプログラムを記憶するＲＯＭ等からなり、録画装置２に必要な演算処理を行い、録画装置２の各部の動作を制御する制御処理部２１を備えている。また制御処理部２１は、日時を計測する機能を有している。また制御処理部２１は、使用者が操作するリモコンからの信号を受信する受信部又は使用者が直接に操作する操作部等の、使用者からの指示が入力される入力部２２が接続されている。制御処理部２１は、入力部２２を用いて、使用者からの各種の指示を受け付ける。また制御処理部２１には、データを記録するハードディスクが格納されたハードディスクドライブであるＨＤ部２３１と、光ディスク等の可搬型の映像記録媒体に対してデータの読み書きを行うドライブ部２３２とが接続されている。
【００３４】
また制御処理部２１には、ＣＡＳカードＣ２が装着されるＣＡＳカード装着部２４と、デジタル放送を受信するチューナ２５とが接続されている。制御処理部２１は、チューナ２５が受信するデジタル放送を選局する処理を行い、チューナ２５は選局されたチャンネルでデジタル放送の放送信号を受信し、受信した放送信号を復調した放送ストリームを制御処理部２１へ入力する。制御処理部２１は、ＣＡＳカード装着部２４に装着されたＣＡＳカードＣ２が記録する情報を参照しながら、チューナ２５からの放送ストリームの処理を実行する。このとき、制御処理部２１は、選局したチャンネルにＣＡＳカードＣ２が対応している場合は、ＣＡＳカードＣ２が記録する情報を用いて、放送ストリームに施された視聴制限を解除する処理を行う。制御処理部２１は、放送ストリームに施された視聴制限を解除することによって、放送ストリームから映像データ及び音声データを再生し、再生した映像データ及び音声データをＨＤ部２３１又はドライブ部２３２に記録させる。
【００３５】
また制御処理部２１には、ＨＤＭＩの規格に従って構成された第１インタフェース部２７２が接続されており、制御処理部２１及び第１インタフェース部２７２には、ＣＥＣの制御信号を処理する制御信号処理部２７１が接続されている。また制御処理部２１には、ＩＥＥＥ１３９４等の規格に従って構成された第２インタフェース部２７３が接続されている。本発明の放送受信システムでは、第１インタフェース部２７２及び第２インタフェース部２７３には、信号線を介して受像機１が接続されている。制御処理部２１は、第１インタフェース部２７２を介して、映像データを含む各種の情報を受像機１との間で送受信し、またＣＥＣの制御信号を受信し、受信した制御信号に従った動作を行う。例えば、制御処理部２１は、第１インタフェース部２７２を介して、チューナ２５からの放送ストリームの視聴制限を解除した映像データ及び音声データ、又はＨＤ部２３１若しくはドライブ部２３２で読み出した映像データ及び音声データを受像機１へ送信することができる。また例えば、制御処理部２１は、受像機１からの制御信号に従って、録画装置２の電源のオン／オフを制御する。また逆に、制御処理部２１は、デジタル放送の選局指示等の制御信号を制御信号処理部２７１に第１インタフェース部２７２を介して受像機１へ送信し、受像機１の動作を制御することもできる。なお、第１インタフェース部２７２及び第２インタフェース部２７３は一般には複数の端子を有しており、複数の受信装置が接続可能である。
【００３６】
またチューナ２５は、電子番組表（ＥＰＧ）の放送信号を受信し、ＥＰＧの内容を表すＥＰＧデータに復調する。制御処理部２１は、ＥＰＧデータを第１インタフェース部２７２から受像機１へ送信する処理を行う。受像機１は、録画装置２から送信されたＥＰＧデータを第１インタフェース部１７２で受信し、制御処理部１１は、受信したＥＰＧデータに基づいて、表示部１３１にＥＰＧを表示させる。また制御処理部２１は、チューナ２５が受信する放送信号に基づいて日時を合わせる処理を行うことができる。
【００３７】
更に制御処理部２１には、メモリ（記録手段）２６が接続されている。メモリ２６は、放送番組の録画予約の内容を記録した予約情報と、各チャンネルでのデジタル放送に受像機１又は録画装置２のいずれの装置が対応しているかを示すチャンネル情報を記憶している。
【００３８】
図４は、メモリ２６が記録するチャンネル情報の内容を示す概念図である。チャンネル情報では、デジタル放送の各チャンネルとリモコンキーの番号とそのチャンネルでのデジタル放送の視聴制限を解除できる機器である対応機器とが関連付けられている。デジタル放送のチャンネルを特定する情報として、放送局名、チャンネル番号、及び放送波の周波数がチャンネル番号に含まれている。対応機器を示す情報の内、自機は録画装置２自身を示し、外部１は、第１インタフェース部２７２及び第２インタフェース部２７３に接続された１番目の外部の受信装置を示し、本実施の形態では受像機１に対応する。例えば、リモコンキーの５番に割り当てられた○△放送のチャンネルには、録画装置２が対応しており、リモコンキーの６番に割り当てられた×△テレビのチャンネルには、録画装置２に接続された受像機１が対応していることが示されている。録画装置２に複数の受信装置が接続されている場合では、外部２等の２番目以降の受信装置を示す情報が含まれる。
【００３９】
図５は、チャンネル情報の内容を設定するための設定画面例を示す模式図である。使用者が操作するリモコン３からの信号を受像機１のリモコン受信部１２で受信し、制御処理部１１が制御信号処理部１７１に受信した信号に応じた制御信号を録画装置２へ送信させるか、又は使用者からの指示を録画装置２の入力部２２で受け付けることにより、録画装置２はチャンネル情報の設定指示を受け付ける。録画装置２の制御処理部２１は、チャンネル情報の設定画面を表示するためのデータを第１インタフェース部２７２から受像機１へ送信し、受像機１の制御処理部１１は、録画装置２からのデータに基づいて、図５に示す如き設定画面を表示部１３１に表示させる。設定画面では、リモコンキーの番号に対応して、チャンネル及び対応機器を入力するための入力枠が表示されている。設定画面上では、使用者がリモコン３を操作することによりカーソルを移動させ、いずれかの入力枠にカーソルを合わせて、特定の項目を指定することができる。例えば、チャンネルの入力枠にカーソルを合わせると、○○放送，○×放送，…等の複数チャンネルの選択肢が表示され、いずれかのチャンネルを指定することでチャンネルが入力される。対応機器についても同様に入力することができる。制御処理部１１は、設定画面を用いた入力内容を第１インタフェース部１７２から録画装置２へ送信し、録画装置２の制御処理部２１は、入力されたチャンネルと対応機器とを互いに関連付けたチャンネル情報を生成し、メモリ２６に記憶させる。なお、チャンネルは、放送局名ではなく、チャンネル番号又は周波数で特定するようにしてもよい。これにより、チャンネルと対応機器とが関連付けられたチャンネル情報がメモリ２６に記録される。
【００４０】
録画装置２は、録画すべき放送番組の放送予定日時及びチャンネル等、録画予約のために必要な情報の入力を入力部２２で受け付けるか、又はＥＰＧを利用する方法を用いることにより、録画予約の指示を受け付ける。図６は、録画予約を行うためのＥＰＧの表示画面例を示す模式図である。受像機１のリモコン受信部１２又は録画装置２の入力部２２でＥＰＧの表示指示を受け付け、制御処理部２１は、チャンネル情報に含まれる各チャンネルに対応する機器を示す情報をＥＰＧデータに含ませ、各チャンネルに対応する機器を示す情報を含むＥＰＧデータを第１インタフェース部２７２から受像機１へ送信する。受像機１の制御処理部１１は、録画装置２から受信したＥＰＧデータに基づいたＥＰＧを表示部１３１に表示させる。
【００４１】
ＥＰＧの表示画面では、各チャンネルに対応付けて、各時刻に放送されている放送番組を表す番組表が表示されている。本発明に係るＥＰＧでは、「レコーダー」又は「外部１」等の文字表示により、各チャンネルに関連付けてチャンネルに対応する対応機器が表示される。このうち「レコーダー」の表示は、録画装置２を示し、「外部１」は録画装置２に接続された受像機１を示す。各チャンネルに対応する対応機器がＥＰＧ中に含まれて表示されるので、使用者は、ＥＰＧを受像機１に表示させることによって各チャンネルに対応した機器を確認することができる。ＥＰＧを目で確認した使用者がリモコン３又は入力部２２に所定の操作を行うことにより、ＥＰＧ上でいずれかの放送番組を指定する指示を受け付け、録画装置２の制御処理部２１は、指定された放送番組の放送予定日時及びチャンネル等の録画に必要な情報を含む予約情報をメモリ２６に記憶させる。なお、録画装置２は、各チャンネルの対応機器を示す情報を含まないＥＰＧを受像機１に表示させる形態であってもよい。
【００４２】
次に、本発明の放送受信システムの動作を説明する。図７及び図８は、本発明の放送受信システムが放送番組の録画を開始する処理の手順を示すフローチャートである。録画装置２の制御処理部２１は、日時を計測しながら予約情報を参照し、予約情報に記録された録画すべき放送番組の放送予定日時になったか否かの判定を随時行っている（Ｓ１０１）。まだ録画すべき放送番組の放送予定日時ではない場合は（Ｓ１０１：ＮＯ）、制御処理部２１は放送予定日時の判定を続行する。録画すべき放送番組の放送予定日時になった場合は（Ｓ１０１：ＹＥＳ）、制御処理部２１は、受信すべきデジタル放送のチャンネルを、予約情報に記録された録画すべき放送番組のチャンネルに特定する（Ｓ１０２）。
【００４３】
制御処理部２１は、次に、特定したチャンネルを示す情報が、メモリ２６が記録するチャンネル情報に含まれているか否かを判定する（Ｓ１０３）。特定したチャンネルを示す情報がチャンネル情報に含まれている場合は（Ｓ１０３：ＹＥＳ）、制御処理部２１は、チャンネル情報で、特定したチャンネルでのデジタル放送の視聴制限を解除できる機器である対応機器として録画装置２が対応しているか否かを判定する（Ｓ１０４）。特定したチャンネルに録画装置２が対応している場合は（Ｓ１０４：ＹＥＳ）、制御処理部２１は、チューナ２５が受信すべきデジタル放送のチャンネルとして、特定したチャンネルを選局し、選局したチャンネルでデジタル放送の受信・録画を開始する（Ｓ１０５）。
【００４４】
ステップＳ１０５では、制御処理部２１は、選局したチャンネルでチューナ２５にデジタル放送の放送信号を受信させ、チューナ２５は、受信した放送信号を復調した放送ストリームを制御処理部２１へ入力する。受信したデジタル放送は、録画すべき放送番組の放送日時に放送番組のチャンネルで受信するので、放送番組に対応するデジタル放送となる。チューナ２５がデジタル放送の受信を開始した後は、制御処理部２１は、ＣＡＳカード装着部２４に装着されたＣＡＳカードＣ２が記録する情報に基づいて、放送ストリームに施された視聴制限を解除し、放送ストリームから映像データ及び音声データを再生する。制御処理部２１は、更に、再生した映像データ及び音声データをＨＤ部２３１又はドライブ部２３２に記録させる。録画装置２は、録画すべき放送番組の放送終了の予定日時までデジタル放送の受信・録画を続行し、その後処理を終了する。このようにして、放送番組が録画装置２で録画される。
【００４５】
ステップＳ１０４で、特定したチャンネルに、録画装置２が対応しておらず、録画装置２に接続された他の受信装置が対応している場合は（Ｓ１０４：ＮＯ）、制御処理部２１は、特定したチャンネルにチャンネル情報で対応している受信装置を選択する（Ｓ１０６）。以下、特定したチャンネルに対応している受信装置が受像機１であるとする。制御処理部２１は、特定したチャンネルを選局してデジタル放送のデータを送信することの指示を、制御信号処理部２７１に第１インタフェース部２７２から受像機１へ送信させる（Ｓ１０７）。この際、制御処理部２１は、第２インタフェース部２７３に接続された受像機１から映像データ及び音声データを入力される外部入力の状態に録画装置２を設定する。受像機１は、第１インタフェース部１７２で選局・送信の指示を受信し（Ｓ１０８）、制御処理部１１は、チューナ１５が受信すべきデジタル放送のチャンネルとして、指示されたチャンネルを選局し、選局したチャンネルでのデジタル放送の受信、及び受信したデジタル放送のデータの録画装置２への送信を開始する（Ｓ１０９）。
【００４６】
ステップＳ１０９では、制御処理部１１は、選局したチャンネルでチューナ１５にデジタル放送の放送信号を受信させ、チューナ１５は、受信した放送信号を復調した放送ストリームを制御処理部１１へ入力する。チューナ１５がデジタル放送の受信を開始した後は、制御処理部１１は、ＣＡＳカード装着部１４に装着されたＣＡＳカードＣ１が記録する情報に基づいて、放送ストリームに施された視聴制限を解除し、放送ストリームから映像データ及び音声データを再生する。更に制御処理部１１は、再生した映像データ及び音声データを第２インタフェース部１７３から録画装置２へ送信する。録画装置２は、受像機１からの映像データ及び音声データを第２インタフェース部２７３で受信し、制御処理部２１は、受信した映像データ及び音声データをＨＤ部２３１又はドライブ部２３２に記録させる。録画すべき放送番組の放送終了の予定日時まで、受像機１はデジタル放送の受信及びデジタル放送のデータの送信を続行し、録画装置２はデジタル放送のデータの受信及び記録を続行し、その後受像機１及び録画装置２は処理を終了する。このようにして、受像機１を経由して放送番組が録画装置２で録画される。
【００４７】
以上のように、本発明の録画装置２は、録画すべき放送番組のチャンネルが録画装置２で視聴制限を解除できるチャンネルの場合は、そのチャンネルを選局し、デジタル放送の受信及び録画を行う。また録画すべき放送番組のチャンネルが録画装置２では視聴制限を解除できず受像機１で視聴制限を解除できるチャンネルの場合は、録画装置２は、自動的に外部入力の状態となり、受像機１にそのチャンネルを選局させ、視聴制限を解除したデジタル放送のデータを受像機１から受信して録画を行う。録画装置２は、チャンネルとそのチャンネルでのデジタル放送の視聴制限を解除できる対応機器とを関連付けたチャンネル情報に基づいてチャンネルの判定を行う。このチャンネル情報は、使用者の操作によって設定される。
【００４８】
従って、特定チャンネルのデジタル放送を録画しようとする際には、特定チャンネルに対応するＣＡＳカードが録画装置２ではなく受像機１に装着されている場合であっても、ＣＡＳカードを手動で入れ替えるか又は予め外部入力で録画するように録画装置２を設定しておく等の手間を使用者に必要とさせることなく、自動で特定チャンネルでの放送番組を録画することが可能となる。例えば、有料放送のチャンネルに対応したＣＡＳカードが受像機１に装着されてあったとしても、録画装置２で有料放送の放送番組の録画予約をしておくだけで自動的に有料放送の録画が可能となる。即ち、本発明においては、受像機１及び録画装置２のいずれかに特定チャンネルに対応したＣＡＳカードが装着されてあれば、使用者は、特定チャンネルで放送される放送番組の録画予約を行うだけで特定チャンネルでの録画が可能となる。また録画装置２は、各チャンネルに対する対応機器の判定を、メモリ２６で記録するチャンネル情報に基づいて行うので、使用者は、チャンネルとＣＡＳカード又は対応機器との対応を意識することなく放送番組の録画予約を行うことができる。また、チャンネル情報が設定されていない場合、又はチャンネル情報が不十分な場合であっても、本発明の放送受信システムは、以下の処理によりデジタル放送の録画を実行する。
【００４９】
ステップＳ１０３で、特定したチャンネルを示す情報が、メモリ２６が記録するチャンネル情報に含まれていない場合は（Ｓ１０３：ＮＯ）、制御処理部２１は、特定したチャンネルでチューナ２５にデジタル放送を受信させ、ＣＡＳカード装着部２４に装着されたＣＡＳカードＣ２が記録する情報に基づいて、放送信号からチューナ２５が復調した放送ストリームに施された視聴制限の解除を試行する（Ｓ１１０）。制御処理部２１は、視聴制限の解除の試行結果から、指定されたチャンネルでのデジタル放送の視聴制限を解除することが可能であったか否かを判定する（Ｓ１１１）。視聴制限を解除することが可能であった場合は（Ｓ１１１：ＹＥＳ）、制御処理部２１は、指定されたチャンネルでのデジタル放送の視聴制限を解除できる対応機器として録画装置２をチャンネルに関連付けた情報を追加するように、メモリ２６が記録するチャンネル情報を修正する（Ｓ１１２）。制御処理部２１は、次に、チューナ２５が受信すべきデジタル放送のチャンネルとして、特定したチャンネルを選局し、選局したチャンネルでデジタル放送の受信・録画を開始する（Ｓ１１３）。ステップＳ１１３では、チューナ２５は選局したチャンネルでデジタル放送の放送信号を受信し、制御処理部２１は、ＣＡＳカードＣ２が記録する情報に基づいて、放送ストリームに施された視聴制限を解除し、映像データ及び音声データをＨＤ部２３１又はドライブ部２３２に記録させる処理を行う。録画装置２は、録画すべき放送番組の放送終了の予定日時までこの処理を実行し、その後処理を終了する。
【００５０】
ステップＳ１１１で、視聴制限を解除することが不可能であった場合は（Ｓ１１１：ＮＯ）、制御処理部２１は、第１インタフェース部２７２及び第２インタフェース部２７３に接続されている受信装置の内から一の受信装置を選択する（Ｓ１１４）。以下、選択した受信装置が受像機１であるとする。制御処理部２１は、次に、特定したチャンネルでのデジタル放送の視聴制限解除の試行指示を、制御信号処理部２７１に第１インタフェース部２７２から受像機１へ送信させる（Ｓ１１５）。受像機１は、第１インタフェース部１７２で試行指示を受信し（Ｓ１１６）、制御処理部１１は、指示されたチャンネルでチューナ１５にデジタル放送を受信させ、ＣＡＳカード装着部１４に装着されたＣＡＳカードＣ１が記録する情報に基づいて、放送信号からチューナ１５が復調した放送ストリームに施された視聴制限の解除を試行する（Ｓ１１７）。制御処理部１１は、次に、視聴制限解除の試行結果を第１インタフェース部１７２から録画装置２へ送信する（Ｓ１１８）。
【００５１】
録画装置２は、受像機１からの試行結果を第１インタフェース部２７２で受信し（Ｓ１１９）、制御処理部２１は、視聴制限解除の試行結果から、指定されたチャンネルでのデジタル放送の視聴制限を受像機１で解除することが可能であったか否かを判定する（Ｓ１２０）。視聴制限を受像機１で解除することが可能であった場合は（Ｓ１２０：ＹＥＳ）、制御処理部２１は、特定したチャンネルでのデジタル放送の視聴制限を解除できる対応機器として受像機１をチャンネルに関連付けた情報を追加するように、メモリ２６が記録するチャンネル情報を修正する（Ｓ１２１）。制御処理部２１は、特定したチャンネルを選局してデジタル放送のデータを送信することの指示を、制御信号処理部２７１に第１インタフェース部２７２から受像機１へ送信させる（Ｓ１２２）。
【００５２】
受像機１は、第１インタフェース部１７２で選局・送信の指示を受信し（Ｓ１２３）、制御処理部１１は、チューナ１５が受信すべきデジタル放送のチャンネルとして、指示されたチャンネルを選局し、選局したチャンネルでのデジタル放送の受信、及び受信したデジタル放送のデータの録画装置２への送信を開始する（Ｓ１２４）。ステップＳ１２４では、チューナ１５は選局したチャンネルでデジタル放送の放送信号を受信し、制御処理部１１は、ＣＡＳカードＣ１が記録する情報に基づいて、放送ストリームに施された視聴制限を解除し、映像データ及び音声データを第２インタフェース部１７３から録画装置２へ送信する。録画装置２は、受像機１からの映像データ及び音声データを第２インタフェース部２７３で受信し、制御処理部２１は、受信した映像データ及び音声データをＨＤ部２３１又はドライブ部２３２に記録させる処理を行う。受像機１及び録画装置２は、録画すべき放送番組の放送終了の予定日時までこの処理を実行し、その後処理を終了する。
【００５３】
ステップＳ１２０で、視聴制限を録画装置２で解除することが不可能であった場合は（Ｓ１２０：ＮＯ）、制御処理部２１は、第１インタフェース部２７２及び第２インタフェース部２７３に接続されている受信装置の内で未選択の受信装置がまだあるか否かを判定する（Ｓ１２５）。未選択の受信装置がまだある場合は（Ｓ１２５：ＹＥＳ）、制御処理部２１は、処理をステップＳ１１４へ戻して未選択の受信装置の内から一の受信装置を選択する。ステップＳ１２５で未選択の受信装置がもうない場合は（Ｓ１２５：ＮＯ）、制御処理部２１は、「未契約チャンネルのためこのチャンネルは録画できません」等のエラーメッセージを含むエラーを示すデータをＨＤ部２３１又はドライブ部２３２に記録させ（Ｓ１２６）、処理を終了する。
【００５４】
以上のように、本発明では、指定されたチャンネルに対する対応機器が不明である場合に、受像機１又は録画装置２でそのチャンネルでのデジタル放送の視聴制限の解除を試行し、視聴制限を解除することができた機器を、指定されたチャンネルに対する対応機器として、録画装置２はチャンネル情報を記録する。次に同一のチャンネルの放送番組を録画する場合には、録画装置２はチャンネル情報に基づいて対応機器を判定することができる。この処理により、チャンネル情報が設定されていない場合、又はチャンネル情報が不十分な場合であっても、本発明の放送受信システムは、録画放送を録画することが可能となる。また本発明では、録画すべき放送番組のチャンネルでの視聴制限の解除を試行することにより、自動でチャンネル情報を修正するので、使用者が手動でチャンネル情報を設定する手間を省くこともできる。以上の処理の説明では、主に受信装置が受像機１である場合を示したが、チューナ装置又はセットトップボックス等の他の受信装置が録画装置２に接続されている場合であっても、同様の処理を実行することが可能である。
【００５５】
なお、本実施の形態においては、録画装置２はメモリ２６に記憶するチャンネル情報に基づいて処理を行う形態を示したが、本発明の放送受信システムの形態はこれに限るものではない。例えば、録画装置２は、録画予約を行う際に、録画すべき放送番組のチャンネルに対応した対応機器をチャンネル情報に基づいて判定し、対応機器を示す情報を予約情報に含める処理を行い、録画時には、予約情報に含まれる情報に基づいて対応機器を判定する処理を行う形態であってもよい。また録画装置２は、チャンネル情報を用いずに処理を行う形態であってもよい。この形態の場合は、図７のフローチャートに示すステップＳ１０１及びＳ１０２の処理を実行した次に、図８のフローチャートで示すステップＳ１１０〜Ｓ１２４の処理を実行する。また、この際には、ステップＳ１１２及びＳ１２１の処理は実行しない。即ち、この形態では、録画すべき放送番組のチャンネルでのデジタル放送の視聴制限を解除する試行を毎度行い、視聴制限を解除することができる機器でデジタル放送を受信し、放送番組を録画する処理を自動で行う。これらの形態においても、受像機１及び録画装置２のいずれかに特定チャンネルに対応したＣＡＳカードが装着されてあれば、特定チャンネルでの録画が可能となる。
【００５６】
また本発明の放送受信システムでは、受像機１で映像を２画面表示する処理を行うことができる。使用者がリモコン３に所定の操作を行うことにより、受像機１は２画面表示の指示をリモコン受信部１２で受け付ける。このとき、受像機１は、受像機が受信したデジタル放送の映像と共に２画面で表示する映像として、録画装置２が受信するデジタル放送の映像、又は録画装置２が録画した映像のいずれかの指定を受け付ける。また受像機１が受け付ける指示には、録画装置２に受信させるデジタル放送のチャンネルの指定、又は録画映像の内で表示すべき映像の指定が含まれる。２画面表示の指示を受け付けた場合、受像機１の制御処理部１１は、デジタル放送の受信・送信の指示、又は録画された映像データの送信指示を制御信号処理部１７１に第１インタフェース部１７２から録画装置２へ送信する。録画装置２は、第１インタフェース部２７２で受像機１からの指示を受け付け、映像データを送信する処理を実行する。
【００５７】
図９は、本発明の放送受信システムが行う２画面表示の処理の手順を示すフローチャートである。録画装置２の制御処理部２１は、チューナ２５で受信したデジタル放送の映像データ、又は映像記録媒体に記録された映像データを第１インタフェース部２７２から受像機１へ送信する（Ｓ２１）。ステップＳ２１では、制御処理部２１はチューナ２５に受像機１からの指示に従ったチャンネルを選局させ、チューナ２５は選局したチャンネルでデジタル放送の放送信号を受信し、制御処理部２１は、ＣＡＳカードＣ２が記録する情報に基づいて、放送ストリームに施された視聴制限を解除し、再生した映像データを第１インタフェース部２７２から受像機１へ送信する。又は、制御処理部２１は、ＨＤ部２３１又はドライブ部２３２に、受像機１からの指示に従った映像データをハードディスク又は光ディスク等の映像記録媒体から読み出させ、読み出した映像データを第１インタフェース部２７２から受像機１へ送信する。
【００５８】
受像機１は、第１インタフェース部１７２で録画装置２からの映像データを受信する（Ｓ２２）。これに並行して、チューナ１５は、任意のチャンネルでデジタル放送の放送信号を受信し、受信した放送信号を復調した放送ストリームを制御処理部１１へ入力する。制御処理部１１は、放送ストリームに施された視聴制限を解除し、視聴制限を解除して再生した映像データに基づく映像と、録画装置２からの映像データに基づいた映像と一つの映像内に組み合わせた２画面映像を作成する画像処理を行う（Ｓ２３）。制御処理部１１は、作成した２画面映像を表示部１３１に表示させる（Ｓ２４）。受像機１及び録画装置２は、ステップＳ２１〜Ｓ２４の処理を繰り返し、２画面映像を表示し続ける。なお、録画装置２は、映像データと共に音声データを送信することも可能であり、受像機１の制御処理部１１は、録画装置２からの音声データに基づいた音声を音声出力部１３２に出力させる処理を行うことも可能である。
【００５９】
図１０は、２画面映像の例を示す模式図である。図１０（ａ）は、２つの映像を対等に並べた２画面映像の例であり、図１０（ｂ）は、一方の映像を大画面、他方の映像を一方の映像内に組み込んだ小画面で表示した２画面映像の例である。受像機１は、いずれの形態の２画面映像をも表示することが可能である。例えば、録画装置２で録画した映画等の映像を大画面で表示し、スポーツ中継等の放送番組の映像を小画面で表示することができる。
【００６０】
以上のように、本発明の放送受信システムでは、受像機１がチューナ１５を複数備えておらずとも、受像機１に接続された録画装置２から入力される映像データを用いて、２画面表示を行うことができる。従って、本発明においては、２画面表示を行うために受像機１が複数のチューナを備えている必要がないので、低コストで２画面表示を実現することができる。
【００６１】
以上詳述した如く、本発明においては、デジタルインタフェースで相互接続された受像機１及び録画装置２の連動性を高めることにより、デジタル放送の録画、又は２画面表示を行うために必要な使用者の負担を低減し、より快適な視聴環境を提供することが可能となる。
【００６２】
なお、本実施の形態においては、受像機１及び録画装置２を接続するインタフェースとしてＨＤＭＩ又はＩＥＥＥ１３９４の例を示したが、その他の通信インタフェースでも本発明を実現することは可能である。また本実施の形態においては、第１インタフェース及び第２インタフェースの二つのインタフェースで受像機１及び録画装置２を接続する形態を示したが、これに限るものではなく、映像データを含むデータを相互に送受信するインタフェースを用いることによって、単一のインタフェースで受像機１及び録画装置２を接続した形態であってもよい。
【図面の簡単な説明】
【００６３】
【図１】本発明の放送受信システムの外観を示す概念図である。
【図２】本発明の放送受信システムの一部を構成する受像機の内部構成を示すブロック図である。
【図３】本発明の放送受信システムの一部を構成する録画装置の内部構成を示すブロック図である。
【図４】メモリが記録するチャンネル情報の内容を示す概念図である。
【図５】チャンネル情報の内容を設定するための設定画面例を示す模式図である。
【図６】録画予約を行うためのＥＰＧの表示画面例を示す模式図である。
【図７】本発明の放送受信システムが放送番組の録画を開始する処理の手順を示すフローチャートである。
【図８】本発明の放送受信システムが放送番組の録画を開始する処理の手順を示すフローチャートである。
【図９】本発明の放送受信システムが行う２画面表示の処理の手順を示すフローチャートである。
【図１０】２画面映像の例を示す模式図である。
【符号の説明】
【００６４】
１  受像機（受信装置）
１２  リモコン受信部
１４  ＣＡＳカード装着部
１５  チューナ
１７２  第１インタフェース部
１７３  第２インタフェース部
２  録画装置
２４  ＣＡＳカード装着部
２５  チューナ
２６  メモリ（記録手段）
２７２  第１インタフェース部
２７３  第２インタフェース部
３  リモコン（リモートコントローラ）
Ｃ１、Ｃ２  ＣＡＳカード（記録媒体）
【図１】
2008271143.tif 000003
【図２】
2008271143.tif 000004
【図３】
2008271143.tif 000005
【図４】
2008271143.tif 000006
【図５】
2008271143.tif 000007
【図６】
2008271143.tif 000008
【図７】
2008271143.tif 000009
【図８】
2008271143.tif 000010
【図９】
2008271143.tif 000011
【図１０】
2008271143.tif 000012